(57)【要約】【課題】  大量に発生する使用済みのオイルフィルタを連続的に処理することができ、オイル缶自体の変形や切り口の歪みをが生じるのを抑制してフィルタ部の取り出しを容易にできるオイルフィルタ解体装置を提供する。【解決手段】  水平搬送路１１の左右両壁の一側に沿って設けられ、オイルフィルタＦの円周面にその一部が当接して水平方向に掃引移動して回転力を付与しながら水平搬送路１１上を転回移動させる転回駆動機構１２と、転回駆動機構１２に相対する水平搬送路１１の片側に沿って設けられ、回転しながら水平移動するオイルフィルタＦの円周面にその刃部１３ａを押圧してオイルフィルタＦの円周面に沿って切断する切断機構１３と、を有するようにオイルフィルタ解体装置１０を構成する。【選択図】  図１
2006255812.tif 000002
【特許請求の範囲】
【請求項１】
使用済みの円筒状のオイルフィルタがその挿入部に起立状態で供給され、その下流側の排出部から切断処理されたオイルフィルタが排出される水平搬送路と、
前記水平搬送路の左右両壁の一側に沿って設けられ、前記オイルフィルタの円周面にその一部が当接して水平方向に掃引移動して前記オイルフィルタに回転力を付与しながら前記水平搬送路上を転回移動させる転回駆動機構と、
前記転回駆動機構に相対する水平搬送路の片側に沿って設けられ、前記水平搬送路上を回転しながら水平移動する前記オイルフィルタの円周面にその刃部を押圧して前記オイルフィルタの円周面に沿って切断する切断機構と、を有することを特徴とするオイルフィルタ解体装置。
【請求項２】
前記転回駆動機構が前記水平搬送路の片側に沿って配置された一対のローラ間に渡設されて駆動される無端ベルトやチェーンを備え、前記オイルフィルタに無端ベルトやチェーンの一部を押し当てて前記オイルフィルタに所定の回転力と水平並進力を付与するとともに、前記切断機構が前記水平搬送路に沿って配置された一対のローラ間に渡設されて駆動される無端ベルトを備え、前記オイルフィルタに押圧される前記刃部が前記無端ベルトに設けられていることを特徴とする請求項１記載のオイルフィルタ解体装置。
【請求項３】
前記転回駆動機構が前記水平搬送路の片側に沿って配置された一対のローラ間に渡設されて駆動される無端ベルトやチェーンを備え、前記オイルフィルタに無端ベルトやチェーンの一部を押し当てて前記オイルフィルタに所定の回転力と水平並進力を付与するとともに、前記切断機構が前記水平搬送路に沿って配列された複数の回転刃を備え、前記回転刃の刃部を前記オイルフィルタの円周面に順次押圧して切断することを特徴とする請求項１又は２記載のオイルフィルタ解体装置。
【請求項４】
前記オイルフィルタが配置される前記転回駆動機構と前記切断機構間との間隔を設定する円筒径設定部を備えていることを特徴とする請求項１〜３のいずれかに記載のオイルフィルタ解体装置。
【発明の詳細な説明】
【技術分野】
【０００１】
本発明は使用済みの略円筒状のオイルフィルタ及び類似構造を有するフィルタ容器類等を切断分解して、オイルフィルタ内のフィルタ部分とケース部やフィルタ支持部分などを分別回収するためのオイルフィルタ解体装置に関する。
【背景技術】
【０００２】
自動車などのエンジンオイルを濾過するためのオイルフィルタは外側のケース部となる金属部分と、ケース部内部のろ紙材などのフィルタ部とからなり、従来、使用済みのオイルフィルタはこれらを分別した後、それぞれの廃棄処理がなされている。このようなオイルフィルタの切断解体に関連して、例えば以下のような技術のものが知られている。
特許文献１には、円筒状のオイルフィルタ缶を保持する缶保持手段と、前記缶保持手段を缶の中心軸を中心として回転させる回転手段と、円盤状の切断工具を缶の中心軸と直交する線上を移動させる切断工具移動手段とを備えた缶切り装置が開示されている。
特許文献２には、オイルフィルタをホールドして積極回転させ、その周端に上面側のみ研削して傾斜面とした刃を形成したカッターを、オイルフィルタのホールド部の上方外周面へ押し当てて切断するオイルフィルタのケース切断方法が開示されている。
特許文献３には、支持台上に回転刃を備えた回転切断部と押切切断部とを備え、一対のローラと回転刃との間に配置された被切断物の周面に対して回転刃を押し当て周方向に切断する分別用カッターが開示されている。
【特許文献１】特開平７−２７６１３２号公報
【特許文献２】特開平９−１２２５２４号公報
【特許文献３】特開２０００−１９８０１７号公報
【発明の開示】
【発明が解決しようとする課題】
【０００３】
しかしながら、前記従来の技術では以下のような課題があった。
（１）特許文献１〜３に記載のオイルフィルタ解体装置では、オイルフィルタを一個ずつ把持してこれをバッチ処理するために、大量に発生する使用済みのオイルフィルタを連続的に処理することが困難で、その処理効率が悪いという問題があった。
（２）特許文献１や特許文献２に記載の缶切り装置や缶切り方法は、切断工具をオイルフィルタ缶の中心軸と直交する線上に移動させて缶を切断する際に、オイルフィルタ缶に押圧力が過度に付加されやすく、缶自体が変形して切り口が歪んでしまい缶開口後における内部のフィルタ部の取り出しが困難になり易いという問題があった。
（３）特許文献３に記載のものでは、回転する円形カッターをオイルフィルタに押し当てて破断させるので、缶本体が潰れたり、位置ずれが生じたりして精密な切断が困難になるという問題があった。
【０００４】
本発明は上記従来の課題を解決するためになされたもので、大量に発生する使用済みのオイルフィルタを連続的に処理することができその処理効率性に優れるとともに、オイルフィルタを解体切断する際に、缶（ケース）自体の変形や切り口の歪みが生じるのを抑制してフィルタ部の取り出しを容易にかつ確実にして精密な切断が行え金属部分とフィルタ部分とを容易に分別できるオイルフィルタ解体装置を提供することを目的とする。
【課題を解決するための手段】
【０００５】
（１）前記従来の課題を解決するためになされた本発明のオイルフィルタ解体装置は、使用済みの円筒状のオイルフィルタがその挿入部に起立状態で供給され、その下流側の排出部から切断処理されたオイルフィルタが排出される水平搬送路と、前記水平搬送路の左右両壁の一側に沿って設けられ、前記オイルフィルタの円周面にその一部が当接して水平方向に掃引移動して前記オイルフィルタに回転力を付与しながら前記水平搬送路上を転回移動させる転回駆動機構と、前記転回駆動機構に相対する水平搬送路の片側に沿って設けられ、前記水平搬送路上を回転しながら水平移動する前記オイルフィルタの円周面にその刃部を押圧して前記オイルフィルタの円周面に沿って切断する切断機構と、を有することを特徴とする。
【０００６】
（２）本発明のオイルフィルタ解体装置は、前記（１）において、前記転回駆動機構が前記水平搬送路の片側に沿って配置された一対のローラ間に渡設されて駆動される無端ベルトやチェーンを備え、前記オイルフィルタに無端ベルトやチェーンの一部を押し当てて前記オイルフィルタに所定の回転力と水平並進力を付与するとともに、前記切断機構が前記水平搬送路に沿って配置された一対のローラ間に渡設されて駆動される無端ベルトを備え、前記オイルフィルタに押圧される前記刃部が前記無端ベルトに設けられていることにも特徴を有している。
【０００７】
（３）本発明のオイルフィルタ解体装置は、前記（１）又は（２）において、前記転回駆動機構が前記水平搬送路の片側に沿って配置された一対のローラ間に渡設されて駆動される無端ベルトやチェーンを備え、前記オイルフィルタに無端ベルトやチェーンの一部を押し当てて前記オイルフィルタに所定の回転力と水平並進力を付与するとともに、前記切断機構が前記水平搬送路に沿って配列された複数の回転刃を備え、前記回転刃の刃部を前記オイルフィルタの円周面に順次押圧して切断することにも特徴を有している。
【０００８】
（４）本発明のオイルフィルタ解体装置は、前記（１）〜（３）において、前記オイルフィルタが配置される前記転回駆動機構と前記切断機構間との間隔を設定する円筒径設定部を備えていることにも特徴を有している。
【発明の効果】
【０００９】
本発明によれば、使用済みのオイルフィルタに回転力を付与しながら水平搬送路上を転回移動させる転回駆動機構と、水平搬送路上を回転しながら水平移動するオイルフィルタの円周面に沿って切断する切断機構と、を有するので、大量に発生する使用済みのオイルフィルタをその装入部に連続的に供給してその切断処理を行なうことができ、その処理効率性に優れている。さらに、オイルフィルタを転動させながらその円周上に刃部を当接させて切断するので、偏荷重がオイルフィルタに付加されることがなく、缶（ケース）自体の変形や切り口の歪みをが生じるのを抑制して精密な切断が行なえ金属部分とフィルタ部分とを容易に分別することができる。
【発明を実施するための最良の形態】
【００１０】
本発明の実施の形態に係るオイルフィルタ解体装置を図面を参照しながら説明する。図１（ａ）は実施の形態のオイルフィルタ解体装置の縦断正面図であり、図１（ｂ）は異なるサイズのオイルフィルタを適用した場合の縦断正面図であり、図２は図１の平面図である。
図１及び図２において、１０は実施の形態に係るオイルフィルタ解体装置であり、使用済みのオイルフィルタＦがその挿入部１１ａに起立状態で供給され下流側の排出部１１ｂから排出される水平搬送路１１と、水平搬送路の左右両壁の一側に沿って設けられ供給されたオイルフィルタＦに回転力を付与しながら水平搬送路１１上を転回移動させるための無端ベルトを備えたコンベアベルトやチェーンベルト１２ａを有する転回駆動機構１２と、転回駆動機構１２に相対する水平搬送路１１の片側に沿って設けられ回転しながら水平移動するオイルフィルタＦの円周面にその鋸刃状の刃部１３ａを押圧するバンドソーからなる切断機構１３と、オイルフィルタＦが配置される転回駆動機構１２と切断機構１３との間隔Ｄを所定値に設定するための円筒径設定部１４と、水平搬送路１１で切断されたオイルフィルタＦからオイル送出管１５ａを通って流れ出る廃オイルを貯留するためのオイルタンク１５などを備えている。
【００１１】
水平搬送路１１は、図１及び図２において略矩形状の部分であり、オイルフィルタ解体装置１０の装置本体１０ａ上の転回駆動機構１２と切断機構１３との間に間隔Ｄをおいて配置される。水平搬送路１１のオイルフィルタが挿入される挿入部１１ａと排出される排出部１１ｂにはそれぞれ八の字状に開口するガイド壁やガイド用支柱などからなるガイド部１１ｃが設けられており、これによって連続的に供給される円筒状のオイルフィルタＦを挿入部１１ａにスムーズに送り込んだり、排出したりすることができるようにしている（図２（ａ）参照）。
【００１２】
転回駆動機構１２は、水平搬送路１１の片側に沿って配置された無端コンベア状のチェーンベルト１２ａをその両端に配置したローラ１２ｃ、１２ｄにより駆動自在に支持され、駆動モータ１２ｂにより駆動できるようにしたものである。また、次に説明する切断機構１３により反対側から押圧されたオイルフィルタＦの円周面にチェーンベルト１２ａに設けられたゴム状物やプラスチック樹脂材などを当接させて摩擦力を付加して移動させることにより、オイルフィルタＦを回転させながら挿入部１１ａから排出部１１ｂに向けて並進させることができるようになっている。
【００１３】
切断機構１３は、水平搬送路１１に沿って配置された一対のローラ１３ｃ、１３ｄ間に渡設されて駆動モータ１３ｂにより駆動される無端ベルト１３ｅを備え、この無端ベルト１３ｅの周縁にオイルフィルタＦを円周に沿って切断するための刃部１３ａが設けられている。
なお、切断機構１３は、上記バンドソー状のものとする他に、長尺矩形板状の鋸刃を転回駆動機構１２に対向するように固定したり、オイルフィルタＦの搬送方向に沿って所定間隔で進退させるように配置したり、あるいは回転駆動される回転刃を多数一直線状に配置したりして構成することもできる。
【００１４】
円筒径設定部１４は、水平搬送路１１を挟んで対向して配置される転回駆動機構１２と切断機構１３との間隔Ｄを調整するためのネジ軸１４ａとこれを回転させるためのハンドル１４ｂを備えている。従って、図１（ａ）及び図１（ｂ）に示すように、挿入部１１ａに供給されるオイルフィルタの円筒径に応じて、ハンドル１４ｂを所定回数回転させることによって間隔Ｄを調整して、直径の異なるオイルフィルタＦ’を処理する場合にはこの間隔Ｄを間隔Ｄ’になるように調整して用いるようになっている。
【００１５】
実施の形態のオイルフィルタ解体装置１０は以上のように構成されているので、使用済みのオイルフィルタＦに回転力を付与しながら水平搬送路１１上を転回移動させるとともに、切断機構１３の刃部１３ｅをこの水平移動するオイルフィルタＦの円周面に沿って動かすことで切断するので、使用済みのオイルフィルタＦを水平搬送路１１の挿入部１１ａに連続供給することができる。さらに、オイルフィルタＦを転動させながらその円周上に刃部１３ｅを当接させるので、偏荷重がオイルフィルタに付加されることがなく、缶自体の変形や切り口の歪みをが生じるのを抑制して、排出部１１ｂから排出されるその円筒部分が切断されたオイルフィルタからフィルタ部分を容易にかつ効率的に取り出すことができる。また、オイルフィルタ解体装置１０にはオイルフィルタＦ、Ｆ’の大きさに応じて水平搬送路１１の幅Ｄを調整できる円筒径設定部１４が設けられているので、異なる種類のオイルフィルタを効率的に処理できる上に、連続供給される使用済みのオイルフィルタＦに残存する廃オイルをオイルタンク１５に回収することができる。
【００１６】
（変形例１）
図３は変形１に係るオイルフィルタ解体装置の平面図である。図３において、２０は変形例１に係るオイルフィルタ解体装置であり、転回駆動機構１２に相対する水平搬送路１１の片側に沿って設けられ水平移動するオイルフィルタＦの円周面にその矩形状の刃部２１ａを押圧しながら切断するための切断機構２１を備える。
なお、以下の変形例の説明においては実施の形態のオイルフィルタ解体装置１０と同様の機能を有するものについては同一の符号を付してその説明を省略するものとする。
切断機構２１は、刃部２１ａを有する鋸刃を水平搬送路１１の片側に固定又は振動できるように配置して、転回駆動機構１２を介して転がりながら並進するオイルフィルタＦの円周面にその刃部２１ａを食い込ませるように徐々に切断するようにしたものである。
これによって、オイルフィルタＦに過度の外力を加えて変形させることなく解体処理を連続的に行なうことができるようにしている。なお、挿入部１１ａに連続的に供給されるオイルフィルタＦの肉厚やその材質、必要とされる供給量などに応じて、振動させる刃部２１ａの振動速度やその振動幅などを適宜設定することができる。
【００１７】
（変形例２）
図４は変形例２のオイルフィルタ解体装置の平面図である。図４において、３０は変形例２に係るオイルフィルタ解体装置であり、転回駆動機構１２に相対する水平搬送路１１の片側に沿って多数配列された回転刃３１ａを備えた切断機構３１を備える。回転刃３１ａは、図示しない駆動モータなどにより、それぞれが交互に正回転又は逆回転させることができる。転回駆動機構１２により水平搬送路１１上を転がりながら並進するオイルフィルタＦの外殻に、回転刃３１ａの刃先が摺動させるように当接して、円筒状に切り開くように作用する。
なお、実施の形態３において実施の形態１と同様の機能を有するものについては同一の符号を付してその説明を省略している。
変形例２のオイルフィルタ解体装置３０は以上のように構成されているので、挿入部１１ａに供給されるオイルフィルタＦの供給量やその形態などに応じて回転刃３１ａ及び転回駆動機構１２の調整が精密にでき、生産調整性に優れたものとすることが可能である。
【００１８】
（変形例３）
図５は変形例３のオイルフィルタ解体装置の平面図である。図５において、４０は変形例３に係るオイルフィルタ解体装置であり、転回駆動機構１２に相対する水平搬送路１１の片側に沿って配置され水平面上を周回するバンドソー状の刃部４１ａを備えた切断機構４１を備える。刃部４１ａは、図示しない駆動モータなどにより、ローラ４１ｂとローラ４１ｃとの間で周回して駆動され、転回駆動機構１２により駆動されるオイルフィルタＦの回転速度に対して逆回転して所定の相対速度が得られるように刃部４１ａが設定されている。
なお、変形例３においても、実施の形態と同様の機能を有するものについては、同一の符号を付してその説明を省略している。
変形例３のオイルフィルタ解体装置４０では、実施の形態のオイルフィルタ解体装置１０に比較して、その装置レイアウトなどを単純化できるととも、刃部４１ａのカバーするカバー部などの取り付けが容易にでき、安全性に優れた配置とすることができる。
【００１９】
（変形例４）
図６は変形例４のオイルフィルタ解体装置の平面図である。図６において、５０は変形例４のオイルフィルタ解体装置であり、オイルフィルタＦを回転させながら並進させる転回駆動機構１２のチェーンベルト１２ａの両側にそれぞれ逆向きに並設された一対の水平搬送路５１、５２と、水平搬送路５１、５２に沿ってそれぞれ設けられて、駆動モータ１３ｂにより駆動される無端ベルト１３ｅを有する切断機構５３、５４と、を備える。
図示するように、実施の形態５のオイルフィルタ解体装置５０は、実施の形態１のオイルフィルタ解体装置１０を２基逆向きに並設したように配列されており、これによって、２倍量の使用済みオイルフィルタを処理することができるようになっている。
【００２０】
以上、実施の形態及びその変形例１〜４について説明したが、本発明のオイルフィルタ解体装置はこれらのものに限定されることなく広く適用することができる。すなわち、本発明のオイルフィルタ解体装置は、使用済みのオイルフィルタを回転させながら並進させることにより、その円周面に沿って輪切り状に切断することを要旨としたものであり、このような解体機構を有するものに広く適用することができる。例えば、本実施の形態では、切断機構１３の刃部１３ａを水平搬送路１１に沿って動かすようにしたが、これを固定配置することもできる。
また、ベルトコンベアなどの搬送面が垂直になるように水平搬送路に配置して、これを転回駆動機構として用いてもよく、実施の形態や材料のものに限定されることなく適用できる。
【図面の簡単な説明】
【００２１】
【図１】実施の形態のオイルフィルタ解体装置の縦断正面図である。
【図２】実施の形態のオイルフィルタ解体装置の平面図である。
【図３】変形例１のオイルフィルタ解体装置の平面図である。
【図４】変形例２のオイルフィルタ解体装置の平面図である。
【図５】変形例３のオイルフィルタ解体装置の平面図である。
【図６】変形例４のオイルフィルタ解体装置の平面図である。
【符号の説明】
【００２２】
１０  本発明の実施の形態のオイルフィルタ解体装置
１０ａ  装置本体
１１  水平搬送路
１１ａ  挿入部
１１ｂ  排出部
１１ｃ  ガイド部
１２  転回駆動機構
１２ａ  チェーンベルト
１２ｂ  駆動モータ
１３  切断機構
１３ａ  刃部
１３ｂ  駆動モータ
１３ｃ  ローラ
１３ｄ  ローラ
１３ｅ  無端ベルト
１４  円周径設定部
１４ａ  ネジ軸
１４ｂ  ハンドル
１５  オイルタンク
１５ａ  オイル送出管
２０  変形例１のオイルフィルタ解体装置
２１  切断機構
２１ａ  刃部
３０  変形例２のオイルフィルタ解体装置
３１  切断機構
３１ａ  回転刃
４０  変形例３のオイルフィルタ解体装置
４１  切断機構
４１ａ  刃部
４１ｂ  ローラ
４１ｃ  ローラ
５０  変形例４のオイルフィルタ解体装置
５１、５２  水平搬送路
５３、５４  切断機構
Ｆ、Ｆ’  オイルフィルタ
Ｄ、Ｄ’  間隔
【図１】
2006255812.tif 000003
【図２】
2006255812.tif 000004
【図３】
2006255812.tif 000005
【図４】
2006255812.tif 000006
【図５】
2006255812.tif 000007
【図６】
2006255812.tif 000008